【手続補正書】
【提出日】平成19年6月27日(2007.6.27)
【手続補正１】
【補正対象書類名】特許請求の範囲
【補正対象項目名】全文
【補正方法】変更
【補正の内容】
【特許請求の範囲】
【請求項１】
一種の圧電セラミックス複合体から構成される圧電アクチュエータ。最低一つの複合体と一枚の金属板を組み合わせた圧電式制御チップ一つ、絶縁ユニットに装着された制御チップ一つによって構成された圧電アクチュエータ。その特徴を下記に示す。その複合体は最上層セラミックシート一枚、底層セラミックシート一枚及び最低一枚の中層セラミックシートを重ねて、熱水加圧と高温焼結により作られたもの。各セラミックシートの間には互いに通じるプラス極とマイナス極の貫通穴があり、さらに各セラミックシートの接合面には銀パラジウム合金がコーティングされており、プラス極とマイナス極の銀パラジウム合金層を仕切っている。  各銀パラジウム合金層には最低一つの絶縁穴があり、プラス極とマイナス極の貫通穴、マイナス極とプラス極の貫通穴の絶縁を保っている。  上層セラミックシートの最上面には銀ペーストがプラス極貫通穴の中に充填され、シルバーを含んだプラス極回路が形成されている。それが上層の銀ペーストとプラス極銀パラジウム合金層を導通させる働きをしている。また、底層セラミックシートの底にも銀ペーストがマイナス極貫通穴貫通穴の中に充填され、シルバーを含んだマイナス極回路を形成し、底層銀ペーストとマイナス極銀パラジウム合金層を導通させる働きをしている。上述の組合せにより、プラス、マイナス極導電回路をもつ圧電セラミックス複合体が形成させる。  その複合体の底層銀ペーストは金属板のある端面に接着され、マイナス極回路を金属板に導いている。また、その金属板にはマイナス極回路の接触端子となる剥き出し部があり、その最上層の銀ペーストをプラス極回路の剥き出し接触端子として、一つの制御チップを構成している。また、その絶縁ユニットの内部には最低一つのプラス極導電パーツとマイナス極導電パーツが装着され、それらを上述の制御チップと組み合わせることで、最上層の銀ペーストとプラス極導電パーツ、金属板の剥き出し部とマイナス極の導電パーツが互いに結合する。さらに、そのプラス、マイナス極導電パーツには絶縁ユニットの外側に伸びる最低一つの外接部剥き出し部があり、それを利用してプラス、マイナス極の信号電源を接続し、圧電アクチュエータに共振を起こして音声を発する仕組みとなっている。
【請求項２】
上記請求項１が述べる圧電セラミックス複合体によって構成されている圧電アクチュエータは、その絶縁ユニットの外接部は駆動電子回路チップの出力ポートと一体になっており、そのチップの入力ポートには音声プラス極端子、音声マイナス極端子、信号入力端子及びスタンバイ端子があり、それらを利用して信号電圧を圧電アクチュエータに送る仕組みになっている。
【請求項３】
一種の圧電セラミックス複合体によって構成されている圧電ラッパで、最低一つの複合体と一枚の金属板によって圧電式制御チップを構成している。そして、圧電ラッパは最低一つの制御チップから構成されている。その特徴を下記に示す。  その複合体は最上層セラミックシート一枚、底層セラミックシート一枚及び最低一枚の中層セラミックシートを重ねて、熱水加圧と高温焼結により作られたもの。各セラミックシートの間には互いに通じるプラス極とマイナス極の貫通穴があり、さらに各セラミックシートの接合面には銀パラジウム合金がコーティングされており、プラス極とマイナス極の銀パラジウム合金層を仕切っている。各銀パラジウム合金層には最低一つの絶縁穴があり、プラス極とマイナス極の貫通穴、マイナス極とプラス極の貫通穴の絶縁を保っている。上層セラミックシートの最上面には銀ペーストがプラス極貫通穴の中に充填され、シルバーを含んだプラス極回路が形成されている。それが上層の銀ペーストとプラス極銀パラジウム合金層を導通させる働きをしている。また、底層セラミックシートの底にも銀ペーストがマイナス極貫通穴貫通穴の中に充填され、シルバーを含んだマイナス極回路を形成し、底層銀ペーストとマイナス極銀パラジウム合金層を導通させる働きをしている。上述の組合せにより、プラス、マイナス極導電回路をもつ圧電セラミックス複合体が形成させる。その複合体の底層銀ペーストは金属板のある端面に接着され、マイナス極回路を金属板に導いている。また、その金属板にはマイナス極回路の接触端子となる剥き出し部があり、その最上層の銀ペーストをプラス極回路の剥き出し接触端子として、制御チップを構成している。さらに、その金属板の剥き出し部には一つのダンピングマットが装着され、それらが圧電ラッパを形成している。
【請求項４】
上記請求項３が述べる圧電セラミックス複合体によって構成されている圧電ラッパには音声プラス極端子、音声マイナス極端子、信号入力端子及びスタンバイ端子の駆動電子回路チップがあり、その出力ポートにはプラス、マイナス極出力端子を含む軟性基板が設けられ、そのプラス極出力端子は複合体最上層にある銀ペーストに、マイナス極出力端子は金属板に接続されており、それらを利用して信号電圧を圧電アクチュエータに送る仕組みになっている。
【請求項５】
上記請求項４が述べる圧電セラミックス複合体によって構成されている圧電ラッパは一つの絶縁ユニットの穴に粘着固定されている。
【請求項６】
圧電セラミックス複合体によって構成されている一種の圧電ブザーで、最低一つの複合体と一枚の金属板を組み合わせた圧電式制御チップ、一つ以上の制御チップを筐体に装着することで圧電ブザーを形成している。その特徴を以下に示す。その複合体は上層セラミックシート一枚、底層セラミックシート一枚及び一枚以上の中層セラミックシートを重ねて、熱水加圧と高温焼結で作られたもの。各セラミックシートの間には互いに繋がるプラス極貫通穴及びマイナス極貫通穴があり、しかも各セラミックシートの接合面には銀パラジウム合金がコーティングされており、プラス極とマイナス極の銀パラジウム合金層を仕切っている。各銀パラジウム合金層には最低一つの絶縁穴があり、プラス極とマイナス極の貫通穴、マイナス極とプラス極の貫通穴の絶縁を保っている。上層セラミックシートの最上面には銀ペーストがプラス極貫通穴の中に充填され、シルバーを含んだプラス極回路が形成されている。それが上層の銀ペーストとプラス極銀パラジウム合金層を導通させる働きをしている。また、底層セラミックシートの底にも銀ペーストがマイナス極貫通穴貫通穴の中に充填され、シルバーを含んだマイナス極回路を形成し、底層銀ペーストとマイナス極銀パラジウム合金層を導通させる働きをしている。上述の組合せにより、プラス、マイナス極導電回路をもつ圧電セラミックス複合体が形成させる。その複合体の底層銀ペーストは金属板のある端面に接着され、マイナス極回路を金属板に導いている。また、その金属板にはマイナス極回路の接触端子となる剥き出し部があり、その最上層の銀ペーストをプラス極回路の剥き出し接触端子として、制御チップを構成している。そして、その筐体の内部には一枚の基板と一つ以上の制御チップが装着されている。その基板は複合体の最上層の銀ペーストと連結したプラス極出力端子及び金属板の剥き出し部と連結したマイナス極出力端子、さらにプラス、マイナス極の信号電源を外接するためのプラス、マイナス入力端子も備えているため、それらの働きによって圧電ブザーに共振現象が起こり、音声を発する仕組みとなっている。
【請求項７】
上記請求項６が述べる圧電セラミックス複合体によって構成されている圧電ブザーは基板のプラス、マイナス極出力端子とプラス、マイナス極入力端子の間に音声プラス極端子と音声マイナス極端子をもった駆動電子回路チップがあり、そのチップの音声プラス極端子と音声マイナス極端子は基板のプラス極入力端子とマイナス極入力端子にそれぞれ接続されている。また、そのチップの出力ポートは基板のプラス極出力端子とマイナス極出力端子にも連結している。
【請求項８】
上記請求項６が述べる圧電セラミックス複合体によって構成されている圧電ブザーの金属板の剥き出し部は筐体内側の溝に装着されており、その構造によって剥き出し部は溝に固定されている。
【請求項９】
上記請求項６が述べる圧電セラミックス複合体製成之圧電ブザーの金属板の剥き出し部は筐体内側の螺旋リングに組み込まれ、その構造によって剥き出し部は螺旋リングと粘着固定されている。